(57)【要約】【課題】容器の側面を覆う断熱材の外形をコンパクトに保ちつつ、省エネ効果の高い断熱機器を提供することを目的とする。【解決手段】容器３の外周部に位置する筒状の断熱材１１は断熱材上端１１ａの開口部よりも断熱材下端１１ｂの開口部の開口径が小さくなるようにテーパ状に加工したものである。これによって、筒状の断熱材１１の外径形状をコンパクトに保ちつつ、容器３の底方向への熱漏洩を低減し、省エネ効果の高いものとすることができる。【選択図】図１
2007037821.tif 000002
【特許請求の範囲】
【請求項１】
被収容物を収容する有底筒状の容器と、容器内の被収容物を加熱・保温する加熱手段と、容器の上方開口部を覆う蓋体と、容器の外周部に位置する筒状の断熱材と、断熱材の外周に位置するボデーとを備え、筒状の断熱材は断熱材上端の開口部よりも断熱材下端の開口部の開口径が小さくなるようにテーパ状に加工した断熱機器。
【請求項２】
断熱材上端は容器の上端部よりも上方に位置し、断熱材下端は容器の底面よりも下方に位置する請求項１に記載の断熱機器。
【請求項３】
平板状の断熱材をロール加工することで筒形状を形成した請求項１または２に記載の断熱機器。
【請求項４】
断熱材は真空断熱材である請求項１から３のいずれかに記載の断熱機器。
【請求項５】
平板状の断熱材に切欠部を設け、ロール加工することで筒形状を形成した断熱材において、切欠部に導出パイプを配設することで、断熱材下端は導出パイプよりも下方に位置する請求項３または４に記載の断熱機器。
【請求項６】
断熱材下端はボデーの底部に位置する請求項５に記載の断熱機器。
【請求項７】
切欠部に補助断熱材を配設し、切欠部を塞いだ請求項５または６に記載の断熱機器。
【発明の詳細な説明】
【技術分野】
【０００１】
本発明は、断熱材を搭載した、炊飯器、保温調理器、給湯器あるいは湯沸かし器などの省エネ型の断熱機器に関するものである。
【背景技術】
【０００２】
従来、この種の断熱機器の内、電気湯沸かし器においては、容器の外側に断熱材を配置して、容器から漏洩する熱量を抑え、保温時の保温電力量を低減するものが知られている（例えば、特許文献１参照）。
【特許文献１】特開平１１−２９０２１０号公報
【発明の開示】
【発明が解決しようとする課題】
【０００３】
しかしながら、前記従来の構成では、断熱材は単に容器の外周を覆っているにすぎないために、容器の底部から熱が漏洩するという課題があった。
【０００４】
本発明は、前記従来の課題を解決するもので、ボデーの大きさをコンパクトに保ちつつ、容器の側面への熱漏洩を大幅に低減し、省エネ効果の高い断熱機器を提供することを目的とする。
【課題を解決するための手段】
【０００５】
上記従来の課題を解決するために、本発明の断熱機器は、被収容物を収容する有底筒状の容器と、容器内の被収容物を加熱・保温する加熱手段と、容器の上方開口部を覆う蓋体と、容器の外周部に位置する筒状の断熱材と、断熱材の外周に位置するボデーとを備え、筒状の断熱材は上部開口部よりも下部開口部の方が開口径が小さくなるようにテーパ状に加工したものである。
【０００６】
これによって、容器から側面方向への熱漏洩を低減し、省エネ効果の高いものとすることができる。
【発明の効果】
【０００７】
本発明の断熱機器は、容器の底面への熱漏洩を大幅に低減し、省エネ効果の高いものとすることができる。
【発明を実施するための最良の形態】
【０００８】
第１の発明は、被収容物を収容する有底筒状の容器と、容器内の被収容物を加熱・保温する加熱手段と、容器の上方開口部を覆う蓋体と、容器の外周部に位置する筒状の断熱材と、断熱材の外周に位置するボデーとを備え、筒状の断熱材は断熱材上端の開口部よりも断熱材下端の開口部の開口径が小さくなるようにテーパ状に加工した断熱機器とすることで、断熱材底部の開口面積を小さくすることで、容器下部から底方向および、容器下部から側面方向への熱漏洩を低減し、省エネ効果の高いものとするとともに、ボデーの外形をコンパクトにすることができる。
【０００９】
第２の発明は、特に、第１の発明において、断熱材上端は容器の上端部よりも上方に位置し、断熱材下端は容器の底面よりも下方に位置するように構成したことで、容器の側面方向の上下を広く断熱材で覆うことで、容器側面方向への熱漏洩を大幅に低減し、省エネ効果の高いものとするとともに、ボデーの外形をコンパクトにすることができる。
【００１０】
第３の発明は、特に、第１または第２の発明において、平板状の断熱材をロール加工することで筒形状を形成したことで、容易にテーパ状の筒形状を形成することができる。
【００１１】
第４の発明は、特に、第１から第３のいずれかの発明において、断熱材は真空断熱材であることで、側面方向への熱伝導を大幅に低減し、省エネ効果の高いものとすることができる。
【００１２】
第５の発明は、特に、第３または第４の発明において、平板状の断熱材に切欠部を設け、ロール加工することで筒形状を形成した断熱材において、切欠部に導出パイプを配設することで、断熱材下端は導出パイプよりも下方に位置することで、容器から被収容物（水）を取り出す導出パイプの経路を確保しつつ、断熱材下端を吐出パイプよりも下方まで延長することができるので、容器の側面方向の特に下部からの熱漏洩を大幅に低減することができる。
【００１３】
第６の発明は、特に、第５の発明において、断熱材下端はボデーの底部に位置することで、断熱材下端から側面方向への対流により熱の流れを防ぐことができるので、容器の側面方向の特に下部からの熱漏洩をさらに大幅に低減することができる。
【００１４】
第７の発明は、特に、第５または第６の発明において、切欠部に補助断熱材を配設し、切欠部を塞いだことで、導出パイプの経路を確保するための切欠部からの熱漏洩を防ぎ、さらに熱漏洩を低減し、断熱効果の高い断熱機器を提供することができる。
【００１５】
以下、本発明の実施の形態について、図面を参照しながら説明する。なお、この実施の形態によってこの発明が限定されるものではない。
【００１６】
（実施の形態１）
図１、本発明の実施の形態１における断熱機器である電気湯沸かし器を例示したものである。
【００１７】
図に示すように、この電気湯沸かし器は、被収容物（水）２を収容する有底筒状の容器３と、容器３内の被収容物２を加熱・保温する加熱手段６と、サーミスターなどの感温素子７と、感温素子７からの電気信号により容器３内の被収容物２の温度を制御する制御回路１０と、容器３の上方開口部を開閉自在に覆う蓋体８と、蓋体８に内蔵された発泡ポリプロピレンなどの蓋断熱材９と、容器３の外周部に位置する筒状の断熱材１１と、断熱材１１の外周に位置するボデー１と、ボデー１上方に載置した上枠４とを備えている。
【００１８】
そして、前記容器３はその開口周縁部が上枠４に装備され、容器３の開口周縁部と蓋体８間には、シリコーンゴムなど弾性体のパッキンが施されシール部５を構成しているものである。
【００１９】
なお、加熱手段６を容器３の底部、側面、または被収容物（水）２の中など配設位置は特に限定しない。
【００２０】
また、前記断熱材１１は、特に、その構成が限定されるものでないが、本実施の形態においては、断熱材１１を真空断熱材としているものである。これは、真空部１２を外袋１３で覆い、真空部１２はヒュームドシリカやパーライトなどの無機粉末、あるいはグラスウールなどの無機繊維、硬質ウレタンフォーム、発泡フェノール樹脂などの芯材が充填されており、外袋１３はガスバリア性を有した樹脂フィルム、樹脂・金属箔ラミネートフィルム（例えば、ナイロン・ＰＥＴ・アルミ箔・無延伸ポリプロピレン）などで構成され、内部を減圧して封止したものである。通常真空断熱材である断熱材１１は平板状なるものなので、容器３の外周を覆うように装着を可能とするため３本ローラーなどを用いて筒状かつ断熱材上端１１ａよりも断熱材下端１１ｂの開口径が小さくなるようにテーパ状に加工している。
【００２１】
ここで、断熱材１１は、その下端部を容器３の底部よりも下方に配設しているものである。また、断熱材１１の上端部は、容器３の上端部よりも上方に配設している。
【００２２】
また、容器３の底部には底断熱材１４が配設されている。ここでは、底断熱材１４は真空断熱材を用いているが、特に限定するものではなく、発泡メラミン、発泡ウレタン、グラスウール、セラミックウールなどでも構わない。
【００２３】
次に、本実施の形態における作用を説明する。
【００２４】
例示した電気湯沸かし器は、一般によく知られているように、蓋体８を開放して容器３内に被収容物（水）２を入れ、被収容物（水）２を加熱・保温し、ポンプ１６の駆動により、導出パイプ１７を通り、吐出口１８から湯を適宜吐出させることができるものである。
【００２５】
ここで、本実施の形態においては、被収容物２の保温中、容器３の外周部に配置した断熱材１１と蓋体８内部の蓋断熱材９および容器３底部に位置する底断熱材１４により、容器３側面と、容器３上方および下方からの放熱を抑制できるものである。断熱材１１を真空断熱材（真空断熱材の熱伝導率＝０．００２〜０．００８Ｗ／ｍＫ）とすれば、保温時の電力量を大幅に低減でき経済性が高く、しかも製品重量を増加させることなく、組立て作業性・使い勝手を良化できるものである。
【００２６】
被収容物２は加熱手段６により一定温度に加熱・保温され、保温中は容器３の外周部に配置した筒状の真空断熱材（熱伝導率＝０．００２〜０．００８Ｗ／ｍＫ）である断熱材１１と、蓋体８内部の蓋断熱材９および容器３底部に位置する底断熱材１４により、容器３側面と、容器３上方および容器３底面からの放熱を抑制できるものである。
【００２７】
高断熱効率なる真空断熱材である断熱材１１を筒状かつ断熱材上端１１ａの開口部よりも断熱材下端１１ｂの開口部の開口径が小さくなるようにテーパ状に加工し容器３の外周部に配置することで、断熱材上端１１ａを容器３上端よりも上方に位置させるととも、断熱材下端１１ｂの開口径が小さくなり、容器３の底部は加熱手段６からの熱で高温になり、熱が漏洩しやすいが、容器３底部からの熱対流による熱漏洩を低減することができ、保温時の電力量を低減でき経済性が高く、従来の構成よりも少量の保温電力量で容器３内の被収容物２を保温することができる。また、容器３と断熱材１１との間に生じる隙間を小さくすることができるため、熱対流による熱漏洩を低減することができる。
【００２８】
さらに、ボデー１はポリプロピレンなどの樹脂を射出成形したものが一般的であり、射出成形のためにテーパ形状になっているが、筒状の断熱材１１はテーパ状に加工することでボデー１のテーパ形状に沿わせることができるため、ボデー１の外形形状をコンパクトに保つことができるものである。
【００２９】
なお、本実施の形態では、真空断熱材は外袋１３と芯材が充填された真空部１２で構成されるものとしたが、特に限定するものではなく、内部を減圧して封止した２重層のステンレスなどで構成される断熱材や発泡ウレタン、発泡メラミン、ガラスウールなどであっても同様の効果を得ることができる。また、容器３の形状としては、円柱や多角柱形状をなし、断熱材１１は容器３に沿って囲うような円柱または多角柱形状が好ましいが、特に限定するものではない。
【００３０】
なお、底断熱材１４と蓋断熱材９を配設することで断熱性能は大幅に向上するが、底断熱材１４と蓋断熱材９が無く、断熱材１１のみ備えた場合でも、断熱性能の向上は図ることができ、底断熱材１４と蓋断熱材９の有無は特に限定するものではない。
【００３１】
本実施の形態では、断熱機器として電気湯沸かし器を例示したが、特に、これに限定するものではなく、炊飯器や保温調理器、給湯器などであってもよく、また電気・ガス機器に限らず貯湯容器など保温を目的とする機器類であれば適用することが可能であり、保温効果の向上を図ることができるものである。
【００３２】
（実施の形態２）
図２は、本発明の実施の形態２における電気湯沸かし器を示すものである。実施の形態１と同一要素については同一符号を付して説明を省略する。
【００３３】
本実施の形態においては、断熱材１１は平板状の真空断熱材としているものである。断熱材１１には切欠部１９が設けられている。ここでは、平板状態では長方形である真空部１２の角をテーパカットし、切欠部１９を設けている。断熱材１１は筒状にロール加工され、重ね合わせ部に切欠部１９が位置し、筒状の断熱材１１端部の一部は切り欠かれた状態となる。
【００３４】
例示した電気湯沸かし器は、一般によく知られているように、蓋体８を開放して容器３内に被収容物（水）２を入れ、被収容物（水）２を加熱・保温し、ポンプ１６の駆動により、導出パイプ１７を通り、吐出口１８から湯を適宜吐出させることができるものであるが、ポンプ１６が容器３の底部にあるため、導出パイプ１７の経路により断熱材下端１１ｂを下方に延長できないが、切欠部１９を設けることで、導出パイプ１７を配置し、かつ、断熱材下端１１ｂを導出パイプ１７よりも下方に延長することができる。
【００３５】
さらに、切欠部１９からの熱漏洩を防止するために、発泡メラミンなどの形状が伸縮自在のシートをトムソン型で打ち抜き加工し形成した補助断熱材１５を切欠部１９に設け、切欠部からの熱漏洩を防止することで、さらに断熱効果の向上を実現することができる。
【００３６】
ここでは、補助断熱材１５として発泡メラミンなどを用いているが、１００℃以上の耐熱性のある断熱材であれば何を用いてもよい。
【産業上の利用可能性】
【００３７】
以上のように、本発明にかかる断熱機器は、断熱材の外形をコンパクトに保ちながら、容器の側面を効果的に断熱材で覆うことで、側面からの熱漏洩を低減し、省エネ効果の高いものとすることができるので、炊飯器、保温調理器、給湯器あるいは湯沸かし器など保温を目的とする機器の断熱強化に適用できる。
【図面の簡単な説明】
【００３８】
【図１】本発明の実施の形態１における電気湯沸かし器の縦断面図
【図２】（ａ）本発明の実施の形態１または２における断熱材の斜視図（ｂ）本発明の実施の形態１または２における断熱材の平面図
【図３】本発明の実施の形態２における電気湯沸かし器の縦断面図
【図４】本発明の実施の形態２における電気湯沸かし器の分解斜視図
【図５】本発明の実施の形態２における補助断熱材の斜視図
【符号の説明】
【００３９】
１  ボデー
２  被収容物
３  容器
４  上枠
６  加熱手段
８  蓋体
１１  断熱材
１１ａ  断熱材上端
１１ｂ  断熱材下端
１２  真空部
１３  外袋
１５  補助断熱材
１７  導出パイプ
１９  切欠部
【図１】
2007037821.tif 000003
【図２】
2007037821.tif 000004
【図３】
2007037821.tif 000005
【図４】
2007037821.tif 000006
【図５】
2007037821.tif 000007